(57)【要約】【課題】  Ｉｎｔｅｒｎｅｔ上のＷｅｂサービスを利用する際に、Ｗｅｂサービスの処理に時間が掛かると、サービス側でコネクションを一旦切断し、処理が終了した段階で、要求元に再接続を行うが、一般的に企業などでプロキシサーバを介して通信を行う場合では、Ｗｅｂサーバから組織内の端末には接続が許されない問題を解決する。【解決手段】  プロキシサーバを介して内部ネットワーク上の情報処理装置と外部ネットワーク上の情報処理装置に接続されている際に、外部情報処理装置から接続中断要求があると、接続中断要求に含まれる接続識別情報を接続管理テーブルに保存して、外部情報処理装置との接続を切断する。外部情報処理装置から接続再開要求があると接続管理テーブルに保存された情報と接続再開要求に含まれる情報が一致すると、関連付けられた内部情報処理装置との接続を再開する。【選択図】  図１
2007086894.tif 000002
【特許請求の範囲】
【請求項１】
任意の通信媒体により、組織内のネットワーク（内部ネットワーク）と組織外のネットワーク（外部ネットワーク）に接続可能なデータ中継システムであって、内部ネットワークに属する情報処理装置との間で通信を行う内部通信手段と、内部通信手段により受信した要求を判定する内部要求判定手段と、内部要求判定手段で外部ネットワーク上に存在する情報処理装置への要求であると判定された場合に外部ネットワーク上の情報処理装置と通信を行う外部通信手段と、外部通信手段により外部ネットワーク上の情報処理装置から送られた要求を判定する外部要求判定手段と、内部通信手段による内部ネットワーク上の情報情報処理装置との接続と外部通信手段による外部ネットワーク上の情報処理装置との接続との間でデータの中継を行う中継手段と、外部要求判定手段により要求が接続中断であると判定されると、接続中断要求に含まれた識別情報を保存する保存手段とを備えることを特徴とするデータ中継システム。
【請求項２】
前記外部通信手段により受信する接続中断要求に含まれる識別情報は、外部情報処理装置において、一意に接続を特定する任意の情報であることを特徴とする請求項１のデータ中継システム。
【請求項３】
前記保存手段により、接続中断要求中に含まれる識別情報と関連付けられて保存される、接続先の情報処理装置の識別情報は、当該情報処理装置のＩＰアドレスであることを特徴とする請求項１及び２のデータ中継システム。
【請求項４】
前記外部通信手段により接続された、外部ネットワーク上の情報処理装置から、接続中断要求を受信すると、前記保存手段により識別情報を保存すると共に、外部ネットワーク上の情報処理装置との接続を切断することを特徴とする請求項１〜３のデータ中継システム。
【請求項５】
前記外部要求判定手段により、外部ネットワーク上の情報処理装置から接続再開要求を受信したと判定された場合、接続再開要求に含まれる識別情報と該情報処理装置の識別情報の対が、前記保存手段により保存されている情報と一致していると、前記外部通信手段により該情報処理装置との接続を再開することを特徴とする請求項１〜４のデータ中継システム。
【請求項６】
前記中継手段により中継される、内部ネットワーク上の情報処理装置と外部ネットワーク上の情報処理装置間の通信プロトコルは、ＨＴＴＰ（Ｈｙｐｅｒｔｅｘｔ  Ｔｒａｎｓｆｅｒ  Ｐｒｏｔｏｃｏｌ）であり、複数のＨＴＴＰ接続を中継することを特徴とする請求項１〜５のデータ中継システム。
【請求項７】
前記外部通信手段により接続された、外部ネットワーク上の情報処理装置から、接続中断要求を受信すると、当該情報処理装置に関連付けられた、内部ネットワーク上の情報処理装置に対して接続の中断が可能かどうかを問い合わせ、可能であると応答があった場合に、内部ネットワーク上の情報処理装置との接続を切断することを特徴とする請求項１〜６のデータ中継システム。
【請求項８】
前記保存手段により保存される情報は、内部ネットワーク上の情報処理装置との接続識別情報と、接続先の外部ネットワーク上の情報処理装置の識別情報および接続識別子を関連付けて保存されることを特徴とする請求項１〜７のデータ中継システム。
【請求項９】
任意の通信媒体により、組織内のネットワーク（内部ネットワーク）と組織外のネットワーク（外部ネットワーク）に接続可能な情報処理装置におけるデータ中継方法であって、内部ネットワークに属する情報処理装置との間で通信を行う内部通信手段と、内部通信手段により受信した要求を判定する内部要求判定手段と、内部要求判定手段で外部ネットワーク上に存在する情報処理装置への要求であると判定された場合に外部ネットワーク上の情報処理装置と通信を行う外部通信手段と、外部通信手段により外部ネットワーク上の情報処理装置から送られた要求を判定する外部要求判定手段と、内部通信手段による内部ネットワーク上の情報情報処理装置との接続と外部通信手段による外部ネットワーク上の情報処理装置との接続との間でデータの中継を行う中継手段と、外部要求判定手段により要求が接続中断であると判定されると、接続中断要求に含まれた識別情報を保存する保存手段とを備えることを特徴とするデータ中継方法。
【請求項１０】
前記外部通信手段により受信する接続中断要求に含まれる識別情報は、外部情報処理装置において、一意に接続を特定する任意の情報であることを特徴とする請求項９のデータ中継方法。
【請求項１１】
前記保存手段により、接続中断要求中に含まれる識別情報と関連付けられて保存される、接続先の情報処理装置の識別情報は、当該情報処理装置のＩＰアドレスであることを特徴とする請求項９及び１０のデータ中継方法。
【請求項１２】
前記外部通信手段により接続された、外部ネットワーク上の情報処理装置から、接続中断要求を受信すると、前記保存手段により識別情報を保存すると共に、外部ネットワーク上の情報処理装置との接続を切断することを特徴とする請求項９〜１１のデータ中継方法。
【請求項１３】
前記外部要求判定手段により、外部ネットワーク上の情報処理装置から接続再開要求を受信したと判定された場合、接続再開要求に含まれる識別情報と該情報処理装置の識別情報の対が、前記保存手段により保存されている情報と一致していると、前記外部通信手段により該情報処理装置との接続を再開することを特徴とする請求項９〜１２のデータ中継方法。
【請求項１４】
前記中継手段により中継される、内部ネットワーク上の情報処理装置と外部ネットワーク上の情報処理装置間の通信プロトコルは、ＨＴＴＰ（Ｈｙｐｅｒｔｅｘｔ  Ｔｒａｎｓｆｅｒ  Ｐｒｏｔｏｃｏｌ）であり、複数のＨＴＴＰ接続を中継することを特徴とする請求項９〜１３のデータ中継方法。
【請求項１５】
前記外部通信手段により接続された、外部ネットワーク上の情報処理装置から、接続中断要求を受信すると、当該情報処理装置に関連付けられた、内部ネットワーク上の情報処理装置に対して接続の中断が可能かどうかを問い合わせ、可能であると応答があった場合に、内部ネットワーク上の情報処理装置との接続を切断することを特徴とする請求項９〜１４のデータ中継方法。
【請求項１６】
前記保存手段により保存される情報は、内部ネットワーク上の情報処理装置との接続識別情報と、接続先の外部ネットワーク上の情報処理装置の識別情報および接続識別子を関連付けて保存されることを特徴とする請求項９〜１５のデータ中継方法。
【発明の詳細な説明】
【技術分野】
【０００１】
本発明は、組織内ネットワーク（ＬＡＮ）と、インターネットなどの外部ネットワークとの間に介在し、データ通信を中継するプロキシサーバと、内部ネットワーク上の情報処理装置から、該プロキシサーバを介して、外部ネットワーク上の情報処理装置に処理依頼を行い、処理結果を得るシステムに関するものである。
【背景技術】
【０００２】
従来、企業内ネットワーク内の情報処理装置は、企業のセキュリティポリシーに従い、プロキシサーバによりインターネット等の外部ネットワークと接続されており、企業内ネットワークから外部ネットワーク上の情報処理装置には比較的容易に接続することができるが、逆に外部ネットワークから企業内ネットワーク上の情報処理装置への接続はセキュリティ上の考慮から、外部ネットワーク上の特定の情報処理装置から内部ネットワーク上の特定の情報処理装置に対する特定の通信に関してのみ許諾するようにプロキシサーバに設定することで通信を行うことができた。また、殆どの組織では電子メイル配送に用いられるＳＭＴＰ（Ｓｉｍｐｌｅ  Ｍａｉｌ  Ｔｒａｎｓｆｅｒ  Ｐｒｏｔｏｃｏｌ）接続を許可することから、プロキシサーバの設定を行わずに外部ネットワーク上の情報処理装置から内部ネットワーク上の情報処理装置に通知を行うために、電子メイルを用いて通知や処理結果の送信を行っていた。
【０００３】
従来例としては、例えば特許文献１をあげることが出来る。
【特許文献１】特開２００３−５８４５９号公報
【発明の開示】
【発明が解決しようとする課題】
【０００４】
しかしながら上記従来技術では、外部ネットワーク上の情報処理装置から内部ネットワーク上の情報処理装置への通信を行うためには、各通信の接続元と接続先および接続ポート番号等をプロキシサーバに設定する必要があった。そのため、近年利用が増えているＷｅｂサービスと呼ばれる、ＨＴＴＰを用いてインターネット等の外部ネットワーク上の情報処理装置に対して何らかの処理を依頼する場合、その処理に時間が掛かるため、当該情報処理装置から接続の中断が行われると、前記プロキシサーバの設定変更なしには、処理結果を送信するための再接続要求がプロキシサーバで拒絶されるため、処理結果を得ることが出来なかった。また、電子メイルを用いて通知や処理結果の送信を行う場合、処理要求とは異なるプロトコルで結果や通知が送られてくることから、送信元の情報処理装置においてプロトコルを跨いだコネクション管理が必要となり処理が複雑になっていた。
【課題を解決するための手段】
【０００５】
上記の課題を解決する本発明の情報処理装置は以下の構成を備える。即ち、内部ネットワーク上の情報処理装置と情報を送受信する内部通信手段と、インターネット等の外部ネットワーク上の情報処理装置との間で情報の入出力を行う外部通信手段と、内部通信手段により接続された内部ネットワーク上の情報処理装置から受信した情報が外部ネットワーク上の情報処理装置への接続要求かどうかを判定する内部通信判定手段と、外部通信手段により外部ネットワーク上の情報処理装置から受信した情報を判定する外部通信判定手段と、外部通信判定手段により外部ネットワーク上の情報処理装置から、接続中断要求を受信したと判定すると、接続中断要求に含まれる接続識別情報と、該接続先の外部ネットワーク上の情報処理装置の識別情報を保存する保存手段とを備えることを特徴とする情報処理装置。
【０００６】
上記の構成によれば、内部ネットワーク上の情報処理装置（内部情報処理装置）から外部ネットワーク上の情報処理装置（外部情報処理装置）への接続要求を受信したデータ中継機能を有する情報処理装置（プロキシサーバ）は、指定された外部情報処理装置と接続し、内部情報処理装置と、外部情報処理装置のデータ通信を仲介する。外部情報処理装置から、接続中断要求を受信したプロキシサーバは、外部接続を一意に識別する識別情報と外部情報処理装置の識別情報を保存し、内部情報処理装置との接続は保持したまま、外部情報処理装置との接続を切断する。プロキシサーバが外部情報処理装置から接続再開要求を受信すると、保存された識別情報と比較し、一致した場合に識別情報と関連付けられた内部情報処理装置との接続の中継を行うように再構成することにより、外部情報処理装置における処理に時間がかかる場合、外部処理装置との接続を一旦切断し、処理が終了後に再接続することにより、内部ネットワーク上の情報処理装置に対してプログラムの修正等を強ることなく、外部情報処理装置からの非同期通信を可能とし、外部ネットワーク上で帯域の無駄な占有を防ぐものである。
【発明の効果】
【０００７】
以上説明した様に本発明によれば、内部ネットワーク上の情報処理装置から、外部ネットワーク上の情報処理装置に対して処理を要求する際に、要求された処理に時間が掛かると判断した外部情報処理装置は、プロキシサーバに対して接続中断要求を送信し、これを受信したプロキシサーバは、接続中断要求に含まれる識別情報と、外部情報処理装置の識別情報及び内部情報処理装置の接続情報の組を保存し、内部情報処理装置との接続を維持したまま、外部情報処理装置との接続を切断するする。そして、外部情報処理装置で、当該処理が終了した段で、外部情報処理装置からプロキシサーバに対して、接続再開要求が送信され、これを受信したプロキシサーバは、接続再開要求に含まれる識別情報及び接続再開要求を送信した外部情報処理装置の識別情報を保存されているそれぞれの識別情報と比較し、これが一致した場合にのみ、外部情報処理装置との接続を許可し、識別情報に関連付けられていた内部情報処理装置との接続情報から、継続中の内部処理装置との接続と、外部情報処理装置との新しい接続との間でデータ中継を行うことにより、プロキシサーバに対して相手先毎の接続許可設定をすることなしに、且つセキュリティレベルを下げずに、外部情報処理装置及び内部情報処理装置との接続の中断・再開を可能とし、ネットワーク上で無用の接続を維持しないことから、ネットーワーク資源の有効活用を図るものである
【発明を実施するための最良の形態】
【０００８】
（実施例１）
図１は、本発明の一実施形態を示すシステム構成図である。情報処理装置１０１は、内部ネットワーク（ＬＡＮ）１０２と接続されており、ＬＡＮ１０２を経由して他の装置と通信を行うことが可能である。情報処理装置１０３はＬＡＮ１０２及び、Ｉｎｔｅｒｎｅｔ等の外部ネットワーク１０４に接続されており、ＬＡＮ１０２及び外部ネットワーク１０４上の装置と通信を行うことが可能である。情報処理装置１０５は外部ネットワーク１０４に接続されており、外部ネットワーク１０４上の装置と通信を行うことが可能である。なお、情報処理装置１０１と情報処理装置１０５は、セキュリティポリシーにより、直接通信を行うことができず、情報処理装置１０３がデータ中継を行うことにより、通信を行えるものとする。
【０００９】
図２は、本発明を実現する情報処理装置（図１の１０３に相当）の内部構成例である。２０１はネットワークポートであり、図１のＬＡＮ１０３に接続され、ＬＡＮ１０３に接続された機器と相互に通信することが可能である。プロトコルスタック２０２は、ネットワークポート２０１を介してＬＡＮ１０３から受信した通信情報をプロトコルに対応したデータ形式に変換し、ＨＴＴＰ（Ｈｙｐｅｒｔｅｘｔ Ｔｒａｎｓｆｅｒ Ｐｒｏｔｏｃｏｌ）データを受信した場合には、ＨＴＴＰ解析部２０３にデータを渡す。たり、各プロトコルを通信情報に変換して、ネットワークポート２０１に渡す。また、プロトコルスタック２０２は、ＨＴＴＰ解析部２０３やコネクションマネージャ２０５から渡された情報をプロトコルに合成して、ネットワークポート２０１を介してＬＡＮ１０３に送信する。一方、ネットワークポート２０７は、図１のインターネット１０４に接続され、インターネット１０４上の機器と相互に通旬することが可能である。プロトコルスタック２０６はネットワークポート２０７から受信したデータをプロトコルに対応したデータ形式に変換し、プロトコルがＨＴＴＰだった場合に、ＨＴＴＰ解析部２０３にデータを渡す、ＨＴＴＰ解析部２０３で、ネットワークポート２０７で受信したデータを解析し、インターネット１０４上の情報処理装置に対する接続要求であった場合に、コネクションマネージャ２０５に対してインターネット１０４上の情報処理装置への接続指示を発行する。また、ネットワークポート２０７を介してインターネット上から受信したデータを解析し、コネクションマネージャ２０５に指示を出す。コネクションマネージャ２０５はＨＴＴＰ解析部からの指示により、プロトコルスタック２０２及びプロトコルスタック２０６を制御して各コネクションの接続、切断等の管理を行う。データ保存部２０４はコネクションに関する各種情報を保存する。
【００１０】
図５は接続管理テーブルで、図２のデータ保存部２０４に配置される。内部ネットワーク上の情報処理装置より外部ネットワーク上の情報処理装置に接続要求があり、プロキシサーバと外部ネットワークの情報処理装置との間で接続が行われた場合に、関連する情報がテーブルに追加され、一連の処理が終了するとテーブルから削除される。接続管理テーブルには、接続要求元の内部ネットワーク上の情報処理装置との接続を識別する接続ＩＤ、接続状態、接続先の外部ネットワーク上の情報処理装置のＩＰアドレスと接続を識別する接続ＩＤ、そして中断中の内部情報処理装置との接続を識別する識別ＩＤからなる。図２のコネクションマネージャ２０５は、接続管理テーブルを参照し、同じ行に記載された内部情報処理装置との接続ＩＤと外部情報処理装置との接続ＩＤがそれぞれ示す、２つの接続間でデータの中継を行う。
【００１１】
以下、図３と図４のフローチャート及び図５の接続管理テーブルを用いて、本発明を実現する図１の情報処理装置１０３におけるデータ中継処理の一例を説明する。
【００１２】
まず、ステップＳ３０１で、図２のネットワークポート２０１を介して、内部ネットワーク上の情報処理装置（以下、内部情報処理装置と称する）から接続要求が送られたかどうかを判定する。この判定は、図２のＨＴＴＰハンドラ２０３において、ＨＴＴＰポート（ポート番号８０）に対してコネクション要求があったかどうに関して行われる。接続要求を受信した場合、ステップＳ３０２に進み、接続先が外部ネットワーク上の情報処理装置（図１の１０５に相当、以下、外部情報処理装置と称する）かどうかをＨＴＴＰのＨｏｓｔヘッダにより判定する。Ｈｏｓｔヘッダには、接続先の情報処理装置を一意に表すＩＰアドレスあるいはドメイン名を含んだ正式名（ＦＱＤＮ）が指定されることから、接続先がプロキシサーバが配置された組織内に属するかどうかを判定することが出来る。外部情報処理装置への接続ではない場合、即ち内部情報処理装置への接続要求であった場合、該プロキシサーバ機能を利用せずに直接通信が可能であるため、ステップＳ３０３でエラー返答後、ステップＳ３０７に進む。ステップＳ３０２で接続先が外部情報処理装置であったと判定された場合、ステップＳ３０４で、図２のコネクションマネージャ２０５に対して、要求先の外部情報処理装置に対して接続するように指示を出す。次にステップＳ３０５で、外部情報処理装置との接続に成功したかどうかを判定し、失敗したらステップＳ３０３でエラー返答を行った後、ステップＳ３０７に進む。ステップＳ３０５で接続に成功したと判定されると、ステップＳ３０６で図５の接続管理テーブルに、接続元の内部情報処理装置の識別情報と接続先の外部情報処理装置の識別情報及び、それぞれとの接続を識別する接続識別情報、そして接続状態を「接続中」とした接続情報を登録し、ステップＳ３０７の処理に移動する。接続元の内部ネットワーク上の情報処理装置及び接続先の外部ネットワーク上の情報処理装置のそれぞれとプロキシサーバとの接続を示す識別情報は、Ｂｅｒｋｌｅｙ  Ｓｏｃｋｅｔ  ＡＰＩにおけるソケット記述子を利用することが出来る。ステップＳ３０７では、図２のネットワークポート２０７を介して、外部情報処理装置から、接続中断要求を受信したかどうかを判定する。接続中断要求を受信していなければ、図４のステップＳ４０１へ進み、接続中断要求を受信したと判定した場合、ステップＳ３０８で、図５の接続管理テーブルの当該接続（図５の５０１に相当）に関する、接続状態欄を「接続中」から「中断」に変更し、接続中断要求に含まれる接続識別コードを設定する。そして、ステップＳ３０９で、図２のコネクションマネージャ２０５に対して外部情報処理装置との接続を切断するように指示を出して、ステップＳ４０１の処理に進む。ステップＳ４０１では、外部情報処理装置から接続再開要求を受信したかどうかを判定し、受信していなければステップＳ４０６へ進む。ステップ４０１で、外部情報処理装置から接続再開要求を受信したと判定されると、ステップＳ４０２で、接続再開要求に含まれる接続識別コードが図５に示すような接続テープルに記載されているかを判定し、記載されていなければ当該装置は接続を再開する権限が無いことを示すため、ステップＳ４０３でエラー応��を行った後に、接続再開要求を送った外部情報処理装置との接続を切断して、ステップＳ４０６の処理に移動する。ステップＳ４０２で接続再開要求に含まれる接続識別コードが、図５に示すような接続管理テーブルの記載項目と一致した場合、例えば図５の５０１に示す行で、接続識別コードが、「0123456789」となっているが、接続再開要求としてこの値が設定されていた場合、ステップＳ４０４で、当該行に含まれている内部接続ＩＤが示す内部ネットワーク上の情報処理装置との接続と、接続再開要求を送信した外部情報処理装置との外部接続の関連付けを行う。そして、ステップＳ４０５で図５の接続管理テーブルの当該行（図５の５０１に相当）で、外部接続IDを現在の接続IDに、状態を「中断」から「接続中」に、識別情報を空欄に、それぞれ変更して、ステップＳ４０６の処理に移動する。ステップＳ４０６では、終了要求が送られたかどうかを判定し、受信していれば処理を終了し、受信していなければ、図３のステップＳ３０１の処理に戻り、これまで説明してきた処理を繰り返す。
【００１３】
以上、説明したように本実施形態によれば、内部ネットワークと外部ネットワークの両方と接続可能な情報処理装置（プロキシサーバ）が、内部ネットワーク上の情報処理装置（内部情報処理装置）と外部ネットワーク上の情報処理装置（外部情報処理装置）との間でデータの中継を行い、接続中の外部情報処理装置より接続中断要求を受信すると、識別情報を保存し、内部情報処理装置との接続を保持したまま、外部情報処理装置との接続を切断する。次に外部情報処理装置から接続再開要求を受信すると、保存している識別情報と比較し、これが一致していれば、内部情報処理装置とのデータ中継を再開することにより、プロキシサーバにおけるセキュリティ設定を弱めることなく、外部情報処理装置との接続の中断および再開を可能とし、外部ネットワークの無用な接続による帯域占有を防ぐことが可能になる。
【００１４】
（実施例２）
第一実施形態では、プロキシサーバは、外部情報処理装置から接続中断要求があると、外部情報処理装置との接続を切断するものの内部情報処理装置との接続は維持していた。しかし、内部ネットワークにおいては、プロキシサーバと内部情報処理装置間での接続に関して制限はない事から、プロキシサーバが外部情報処理装置から接続中断要求を受信した場合、内部情報処理装置に対して接続を中断するかどうかを確認し、中断可能であると応答（接続中断許諾応答）があった場合に、内部情報処理装置との接続も切断し、対応する外部情報処理装置から接続再開要求があった場合に、内部情報処理装置との接続を再開するようにしてもよい。この場合、内部情報処理装置は、プロキシサーバを介して外部処理装置からの結果が何時送信されてくるかが分からないことから、イベントシンクと呼ばれるＨＴＴＰを受信する接続点を設け、このアドレス（ＵＲＬ）を接続中断許諾応答に含み、図２のデータ保存部２０４に保存することにより、プロキシサーバが外部情報処理装置からの再開要求を受信した際に、このアドレスとの間で接続を開始することが可能である。
【００１５】
本実施形態によれば、内部ネットワークに接続された情報処理装置（内部情報処理装置）と外部ネットワークに接続された情報処理装置（外部情報処理装置）の間でプロキシサーバを介して接続されている場合に、外部情報処理装置から接続中断要求を受信したプロキシサーバは、接続中断要求に含まれる接続識別情報を保存するとともに外部情報処理装置との接続を切断する一方、内部情報処理装置に対して、接続の切断が可能かどうかを問い合わせ、切断可能通知が返却されると内部情報処理装置との接続を切断し、外部情報処理装置が再接続されたと同時に再接続することにより、内部情報処理装置において、外部情報処理装置からの結果を得るまで、プロキシサバーとの接続を維持する必要が無くなり、内部ネットワークにおける帯域の占有を防ぐと共に、内部情報処理装置における待ち処理を無くすることを可能にする。
【図面の簡単な説明】
【００１６】
【図１】本発明を実現するシステム構成例。
【図２】本発明を実現する情報処理装置（プロキシサーバ）の内部構成例。
【図３】本発明を実現する情報処理装置（プロキシサーバ）における、データ中継処理の一例。
【図４】本発明を実現する情報処理装置（プロキシサーバ）における、データ中継処理の一例。
【図５】本発明を実現するプロキシサーバで管理される接続管理テーブルの一例。
【符号の説明】
【００１７】
１０１  処理依頼元の情報処理装置
１０２  内部ネットワーク
１０３  データ中継機能を実現する情報処理装置
１０４  外部ネットワーク
１０５  処理依頼先の情報処理装置
【図１】
2007086894.tif 000003
【図２】
2007086894.tif 000004
【図３】
2007086894.tif 000005
【図４】
2007086894.tif 000006
【図５】
2007086894.tif 000007